(57)【特許請求の範囲】
【請求項１】
複数の図書を収容した複数のコンテナが書庫に保管され、該複数の図書には、各図書を識別可能な図書識別情報が付与されており、管理装置の指令に基づき、前記書庫に保管されている前記複数のコンテナの中から、貸し出しまたは返却作業の対象となる目的の図書を収容するコンテナを取り出してステーションに搬送するとともに、該コンテナを図書の貸し出しまたは返却作業後に前記ステーションから前記書庫に搬送する図書保管管理システムであって、
前記管理装置は、前記コンテナ内における各図書の配置位置を特定可能な配置情報と前記図書識別情報とを対応付けて記憶する記憶手段と、前記目的の図書の図書識別情報を受付ける図書識別情報受付手段と、該図書識別情報受付手段にて受付けた図書識別情報に対応付けて前記記憶手段に記憶されている前記配置情報を抽出する配置情報抽出手段と、該配置情報抽出手段にて抽出した配置情報に基づいて前記目的の図書のコンテナ内における配置位置を表示する表示手段と、を備え、
前記管理装置は、前記図書識別情報受付手段にて複数の図書識別情報を受付けた場合に、前記配置情報抽出手段にて抽出した前記コンテナ内における複数の各図書の配置位置を、該図書毎に前記表示手段に表示させる制御を行うことを特徴とする図書保管管理システム。
【請求項２】
前記管理装置は、前記図書識別情報受付手段にて複数の図書識別情報を受付けた場合に、前記配置情報抽出手段にて抽出した前記コンテナ内における複数の各図書の配置位置と、該各図書識別情報に対応付けて前記記憶手段に記憶されている図書に関連する図書関連情報と、を対応付けて表示する図書単位表示を、該図書毎に前記表示手段に表示させる制御を行うことを特徴とする請求項１に記載の図書保管管理システム。
【請求項３】
前記表示手段は前記図書毎に前記コンテナ内の前記図書の位置を概略的に示す位置画像として表示することを特徴とする請求項１又は２に記載の図書保管管理システム。
【請求項４】
複数の図書を収容した複数のコンテナが書庫に保管され、該複数の図書には、各図書を識別可能な図書識別情報が付与されており、管理装置の指令に基づき、前記書庫に保管されている前記複数のコンテナの中から、貸し出しまたは返却作業の対象となる目的の図書を収容するコンテナを取り出してステーションに搬送するとともに、該コンテナを図書の貸し出しまたは返却作業後に前記ステーションから前記書庫に搬送する図書保管管理システムであって、
前記管理装置は、前記コンテナ内における各図書の配置位置を特定可能な配置情報と前記図書識別情報とを対応付けて記憶する記憶手段と、前記目的の図書の図書識別情報を受付ける図書識別情報受付手段と、該図書識別情報受付手段にて受付けた図書識別情報に対応付けて前記記憶手段に記憶されている前記配置情報を抽出する配置情報抽出手段と、該配置情報抽出手段にて抽出した配置情報に基づいて前記目的の図書のコンテナ内における配置位置を表示する表示手段と、を備え、
前記コンテナには、前記複数の図書が前後２列に配置されるとともに、前記表示手段には、前記配置情報に基づいて前記目的の図書のコンテナ内における前後位置が表示されるようになっており、前記管理装置は、前記ステーションに搬送されたコンテナを回転させる回転操作手段をさらに備え、
前記管理装置は、少なくとも前記目的の図書がコンテナ内における後位置にある場合に、前記表示手段に該コンテナの回転操作を促す表示をさせる制御を行うことを特徴とする図書保管管理システム。
【請求項５】
前記表示手段は、前記目的の図書のコンテナ内の左右方向における配置位置を、概略的な位置画像として表示することを特徴とする請求項１ないし４のいずれかに記載の図書保管管理システム。
【発明の詳細な説明】
【技術分野】
【０００１】
本発明は、管理装置の指令に基づき、書庫に保管されている複数のコンテナの中から、目的の図書を収容するコンテナを取り出してステーションに搬送するとともに、コンテナを図書の貸し出しまたは返却作業後にステーションから書庫に搬送する図書保管管理システムに関する。
【背景技術】
【０００２】
従来の図書保管管理システムにおいては、複数の図書がコンテナに収容され、書棚からステーションまで搬送されてきたコンテナから、利用者が貸出要求した目的の図書を取り出すものがある（例えば、特許文献１参照）。
【先行技術文献】
【特許文献】
【０００３】
【特許文献１】特許第２８４３７５３号公報（第４頁、第２図）
【発明の概要】
【発明が解決しようとする課題】
【０００４】
しかしながら、特許文献１に記載の図書入出庫装置にあっては、コンテナ内に多数の図書が収容された状態であると、利用者がステーションにて、コンテナ内に収容されている全ての図書の中から貸出要求した目的の図書を自ら探し出す際に、コンテナ内のどの位置に目的とする図書が収容されているか分からなくなる虞があり、目的の図書を探し出す手間がかかり面倒であるという問題がある。
【０００５】
本発明は、このような問題点に着目してなされたもので、利用者がコンテナ内から目的の図書を見つけ出す手間や、コンテナ内に図書を収容する位置を確認する手間などが軽減され、利便性を向上させることができる図書保管管理システムを提供することを目的とする。
【課題を解決するための手段】
【０００６】
前記課題を解決するために、本発明の図書保管管理システムは、
複数の図書を収容した複数のコンテナが書庫に保管され、該複数の図書には、各図書を識別可能な図書識別情報が付与されており、管理装置の指令に基づき、前記書庫に保管されている前記複数のコンテナの中から、貸し出しまたは返却作業の対象となる目的の図書を収容するコンテナを取り出してステーションに搬送するとともに、該コンテナを図書の貸し出しまたは返却作業後に前記ステーションから前記書庫に搬送する図書保管管理システムであって、
前記管理装置は、前記コンテナ内における各図書の配置位置を特定可能な配置情報と前記図書識別情報とを対応付けて記憶する記憶手段と、前記目的の図書の図書識別情報を受付ける図書識別情報受付手段と、該図書識別情報受付手段にて受付けた図書識別情報に対応付けて前記記憶手段に記憶されている前記配置情報を抽出する配置情報抽出手段と、該配置情報抽出手段にて抽出した配置情報に基づいて前記目的の図書のコンテナ内における配置位置を表示する表示手段と、を備え、
前記管理装置は、前記図書識別情報受付手段にて複数の図書識別情報を受付けた場合に、前記配置情報抽出手段にて抽出した前記コンテナ内における複数の各図書の配置位置を、該図書毎に前記表示手段に表示させる制御を行うことを特徴としている。
この特徴によれば、利用者は表示手段に表示された各図書の配置位置を参照することで、１つのコンテナから複数の図書の貸し出しを行う際には、各図書がコンテナ内のいずれの配置位置に配置されているかを容易に把握できるとともに、１つのコンテナに複数の図書を返却する際には、各図書をコンテナ内のいずれの配置位置に配置すればよいのかを容易に把握できるようになり、利便性を向上させることができる。
【０００７】
本発明の図書保管管理システムは、
前記管理装置は、前記図書識別情報受付手段にて複数の図書識別情報を受付けた場合に、前記配置情報抽出手段にて抽出した前記コンテナ内における複数の各図書の配置位置と、該各図書識別情報に対応付けて前記記憶手段に記憶されている図書に関連する図書関連情報と、を対応付けて表示する図書単位表示を、該図書毎に前記表示手段に表示させる制御を行うことを特徴としている。
この特徴によれば、利用者は表示手段に表示された各図書単位表示を参照することで、１つのコンテナから複数の図書の貸し出しを行う際には、各図書がコンテナ内のいずれの配置位置に配置されているかを容易に把握できるとともに、１つのコンテナに複数の図書を返却する際には、各図書をコンテナ内のいずれの配置位置に配置すればよいのかを容易に把握できるようになり、利便性を向上させることができる。
【０００８】
本発明の図書保管管理システムは、
前記表示手段は前記図書毎に前記コンテナ内の前記図書の位置を概略的に示す位置画像を表示することを特徴としている。
この特徴によれば、位置画像として表示するから、各図書をコンテナ内のいずれの配置位置に配置すればよいのかを容易に把握できるようになる。この効果は、図書関連情報とを合わせて位置画像を表示するとより有効である。
【０００９】
本発明の図書保管管理システムは、
複数の図書を収容した複数のコンテナが書庫に保管され、該複数の図書には、各図書を識別可能な図書識別情報が付与されており、管理装置の指令に基づき、前記書庫に保管されている前記複数のコンテナの中から、貸し出しまたは返却作業の対象となる目的の図書を収容するコンテナを取り出してステーションに搬送するとともに、該コンテナを図書の貸し出しまたは返却作業後に前記ステーションから前記書庫に搬送する図書保管管理システムであって、
前記管理装置は、前記コンテナ内における各図書の配置位置を特定可能な配置情報と前記図書識別情報とを対応付けて記憶する記憶手段と、前記目的の図書の図書識別情報を受付ける図書識別情報受付手段と、該図書識別情報受付手段にて受付けた図書識別情報に対応付けて前記記憶手段に記憶されている前記配置情報を抽出する配置情報抽出手段と、該配置情報抽出手段にて抽出した配置情報に基づいて前記目的の図書のコンテナ内における配置位置を表示する表示手段と、を備え、
前記コンテナには、前記複数の図書が前後２列に配置されるとともに、前記表示手段には、前記配置情報に基づいて前記目的の図書のコンテナ内における前後位置が表示されるようになっており、前記管理装置は、前記ステーションに搬送されたコンテナを回転させる回転操作手段をさらに備え、
前記管理装置は、少なくとも前記目的の図書がコンテナ内における後位置にある場合に、前記表示手段に該コンテナの回転操作を促す表示をさせる制御を行うことを特徴としている。
この特徴によれば、利用者は表示手段を参照することで、ステーションに搬送されたコンテナ内の前後いずれの位置に目的の図書が配置されるかを容易に把握でき、目的の図書がコンテナ内における後方側の位置にある場合などに、利用者が回転操作手段を操作することで、コンテナが回転されて目的の図書の貸し出しまたは返却作業を行い易くなる。また、利用者は表示手段を参照することで、回転操作手段を操作するか否かの判断を容易に行うことができる。
【００１０】
本発明の図書保管管理システムは、
前記表示手段は、前記目的の図書のコンテナ内の左右方向における配置位置を、概略的な位置画像として表示することを特徴としている。
この特徴によれば、表示手段に表示される目的の図書の配置位置を示す画像が、簡略化されて表示手段による画像処理がスムーズに行われるようになる。
【図面の簡単な説明】
【００１１】
【図１】実施例における図書保管管理システムの全体像を示す側面図である。
【図２】ステーションを示す斜視図である。
【図３】ステーションを示す横断平面図である。
【図４】図書保管管理システムの構成を示すブロック図である。
【図５】タッチパネルに表示されるコンテナ取出しメニュー画面を示す図である。
【図６】タッチパネルに表示される読取処理画面を示す図である。
【図７】（ａ）は、図書がコンテナの前面左側にあることを示す図であり、（ｂ）は、図書がコンテナの前面中央にあることを示す図であり、（ｃ）は、図書がコンテナの前面右側にあることを示す図である。
【図８】タッチパネルに表示されるコンテナ返却メニュー画面を示す図である。
【図９】図書情報テーブルを示す図である。
【図１０】コンテナ情報テーブルを示す図である。
【図１１】利用者情報テーブルを示す図である。
【発明を実施するための形態】
【００１２】
本発明に係る図書保管管理システムを実施するための形態を実施例に基づいて以下に説明する。
【実施例】
【００１３】
実施例に係る図書保管管理システムにつき、図１から図１１を参照して説明する。以下、図１の紙面左側をステーションの正面側（前方側）とし、図３の紙面下側をステーションの正面側（前方側）として説明する。
【００１４】
図１の符号１は、本発明の適用された図書保管管理システムである。この図書保管管理システム１は、図１に示すように、例えば、図書館にて地上階に設けられ、利用者に公開されている開架書庫２と、図書館の地下階に設けられ、利用者に公開されていない閉架書庫３と、の間に亘って設置されており、閉架書庫３に収容されている図書４を利用者の要求に応じて開架書庫２まで搬送するシステムである。
【００１５】
閉架書庫３には、図書４を収容するための複数の書棚５が配置されている。図４に示すように、これら書棚５には、複数の図書４が収容された複数のコンテナ６が収容されている。尚、本実施例における図書保管管理システム１は、コンテナ６毎に図書４を文学、スポーツ、評論等の分野毎に収容する固定ロケーション方式を採用している。
【００１６】
コンテナ６に収容されている図書４には、各図書４毎に固有の図書ＩＤ（図書識別情報）や図書関連情報が記憶されているＲＦＩＤタグ７が貼り付けられており、このＲＦＩＤタグ７の図書ＩＤは、後述する図書用タグリーダ８（図書識別情報受付手段）及び貸出返却用タグリーダ９（図書識別情報受付手段）によってＩＤ情報を読み取り可能となっている。尚、この図書関連情報とは、各図書４のタイトル、著者、出版社、ページ数等である。
【００１７】
また、本実施例におけるＲＦＩＤタグ７は、内蔵したＩＣチップを非接触方式（無線方式）で、後述する図書用タグリーダ８と貸出返却用タグリーダ９とで読み取らせる公知のパッシブ型のＲＦＩＤタグである。
【００１８】
図１に示すように、図書保管管理システム１は、閉架書庫３にて書棚５から図書４が収容されたコンテナ６を取り出すための複数基のスタッカクレーン１０と、地下階である閉架書庫３と地上階である開架書庫２との間を昇降可能とする搬送エレベータ１１と、を備えている。そして、スタッカクレーン１０によって書棚５から取り出されたコンテナ６は、コンベア１２を介して搬送エレベータ１１に受け渡されるようになっている。
【００１９】
また、図書保管管理システム１は、閉架書庫３からコンテナ６を搬送可能であって、利用者が目的の図書４の貸し出し、若しくは返却を行うことができるステーション１３と、コンテナ６を一時保管するためのロータリーラック１４と、を備えている。搬送エレベータ１１によって地上階まで搬送されたコンテナ６は、コンベア１５を介してステーション１３及びロータリーラック１４まで搬送されるようになっている。尚、本実施例における利用者とは、図書館の司書や、図書館が設置された学校の学生や教授等である。
【００２０】
また、開架書庫２に設けられたステーション１３にて設定された指令に基づき、スタッカクレーン１０は、各書棚５におけるコンテナ６の収容位置まで前後並びに上下方向に自動走行して、コンテナ６の出し入れを行うようになっている。
【００２１】
図２に示すように、ステーション１３の上部には、その内部が中空である中空部１６が形成されている。この中空部１６内には、搬送エレベータ１１側からコンベア１５が延設されており、図書４が収容されているコンテナ６を中空部１６内に搬送可能となっている。
【００２２】
図２及び図３に示すように、コンテナ６の内部は、複数の図書４を収容するための上方が開口する収容空間１７となっている。この収容空間１７は、磁性部材からなる磁性板１８によって正面側と背面側とに分割されており、複数の図書４が前後２列に配置され、背表紙４ａをコンテナ６の正面側または背面側に向けた状態で、かつ図書４の厚み方向である左右方向に並べられた状態で収容されている。
【００２３】
図２及び図３に示すように、ステーション１３の中空部１６内の中央には、コンベア１５に連続して設けられたターンテーブル１９が配設されている。ステーション１３に搬送されたコンテナ６は、このターンテーブル１９上に載置されるようになっている。
【００２４】
尚、ステーション１３の利用者は、後述するタッチパネル２０（表示手段）の操作によってターンテーブル１９を回転させてコンテナ６を水平回転させることができる。そのため、コンテナ６は、その正面側及び背面側のいずれの側も利用者側に向けることができるようになり、コンテナ６の正面側及び背面側の両側に図書４を収容しておくことができ、コンテナ６内のスペースを有効利用できる。
【００２５】
そして、ステーション１３の上部正面側には、左右方向に中空部１６を開閉自在なスライド扉２１が取り付けられており、利用者は、このスライド扉２１を開放することによって中空部１６に搬送されてきたコンテナ６から図書４を取り出せるようになっている。
【００２６】
また、コンテナ６の正面側と背面側の外面には、左右方向の略中央部に各コンテナ６を識別可能なバーコード部２２が設けられている。尚、このバーコード部２２には、各コンテナ６を識別できる固有のコンテナＩＤや前後のいずれの側かを示す情報が含まれた情報が書き込まれている。
【００２７】
図３に示すように、ステーション１３の中空部１６内には、コンベア１５の正面側と背面側の両側に、コンテナ６に収容されている図書４のＲＦＩＤタグ７から図書ＩＤ等の情報を読み取るための図書用タグリーダ８と、コンテナ６に取り付けられたバーコード部２２からコンテナＩＤ等の情報を読み取るためのバーコードリーダ２３と、が取り付けられている。
【００２８】
また、コンベア１５は、搬送エレベータ１１側からステーション１３の中空部１６内に延設されているとともに、中空部１６内から更に搬送エレベータ１１側に延設されている平面視でＵ字状に形成されている。コンテナ６は、ステーション１３において紙面右側から紙面左側へと一方通行に搬送されるようになっており、図書用タグリーダ８は、ステーション１３の上流側及び下流側にそれぞれ設けられている。
【００２９】
また、同様のバーコードリーダ２３が開架書庫２におけるステーション１３外のコンベア１５及び閉架書庫３におけるコンベア１２近傍にも複数箇所に取り付けられている。コンテナ６のバーコード部２２がコンベア１２，１５に設けられたバーコードリーダ２３で読み取られることにより、各コンテナ６の搬送経路における現在位置情報などを後述する管理装置２４が把握することができるようになっている。
【００３０】
尚、前述のロータリーラック１４は、内部に複数のコンテナ６を収容可能となっており、後述するコンテナ呼出処理によって閉架書庫３からステーション１３に呼び出されたコンテナ６が複数ある場合などにコンテナ６をロータリーラック１４に待機させることができるようになっている。
【００３１】
搬送エレベータ１１を介して地上階に搬送された複数のコンテナ６がロータリーラック１４に一時保管された後、コンテナ６は所定の順序でロータリーラック１４から運び出される。そして、ロータリーラック１４から運び出されたコンテナ６は、平面視で右側のコンベア１５から中央のステーション１３に搬送され、ステーション１３での処理が終わったコンテナ６は、左側のコンベア１５に載せられて再び搬送エレベータ１１によって地下階の閉架書庫３へと搬送されるようになっている。
【００３２】
図２に示すように、ステーション１３の正面側には、利用者がコンテナ６から取り出した図書４を載置するための天板２５が設けられている。この天板２５上には、ステーション１３を利用する利用者に対して、図書４の貸し出し及び返却作業の指示を行うためのタッチパネル２０が設けられている。このタッチパネル２０は、利用者が直接指等を接触させて操作可能になっている。
【００３３】
また、天板２５には、図書４のＲＦＩＤタグ７から図書ＩＤ等の情報を読み取るための貸出返却用タグリーダ９が埋設されている。更に、特に図示しないが、ステーション１３には、図書館の利用者が所有するＩＣカード２６から利用者の利用者ＩＤを読取可能なカードリーダ２７が設けられている。尚、このＩＣカード２６には、ＲＦＩＤタグが内蔵され、固有の利用者ＩＤが記憶されている。
【００３４】
一方、図書館の管理室（図示略）等には、図４に示すように、閉架書庫３からの図書４の貸し出し及び返却を管理する管理装置２４が設けられている。この管理装置２４は、図９〜図１１に示す図書情報テーブルとコンテナ情報テーブルと利用者情報テーブルが記憶されている記憶部２８（記憶手段）と、管理装置２４内で各種制御を行う制御部２９と、から構成されている。
【００３５】
この制御部２９には、ステーション１３のバーコードリーダ２３と、図書用タグリーダ８と、貸出返却用タグリーダ９と、ターンテーブル１９と、タッチパネル２０と、カードリーダ２７と、が接続されている。また、制御部２９には、コンベア１５と、ロータリーラック１４と、バーコードリーダ２３と、が接続されている。尚、本実施例における図書保管管理システム１には複数のステーション１３が設けられており、管理装置２４は、各ステーション１３とそれぞれ接続されている。
【００３６】
更に、制御部２９には、閉架書庫３のコンベア１２と、スタッカクレーンと、搬送エレベータ１１と、バーコードリーダ２３と、が接続されている。尚、制御部２９は、ＬＡＮ回線等の通信回線３０を介して図書館内部または図書館外部の複数の予約端末３１に接続されている。例えば図書館の利用者は、予約端末３１から管理装置２４に対して所望の図書４の貸出予約を行うことができるようになっている。
【００３７】
図９に示すように、記憶部２８に記憶されている図書情報テーブルには、図書４の図書ＩＤに対して、図書４のタイトルと、巻号、年次、厚さと、この図書４が収容されているコンテナ６のコンテナＩＤと、コンテナ６内における図書４の所在を示す配置位置（配置情報）と、後述する点検作業を行うか否かを図書４毎に指定するチェック要否と、点検作業の結果を示す照合結果と、点検作業において照合不良となった場合にその理由が登録される照合不良情報と、図書４が現在収容されているコンテナ６のコンテナＩＤが登録される現コンテナＩＤと、が対応付けられて記憶されている。
【００３８】
このうち、コンテナ６内の図書４の配置位置は、コンテナ６の前後をＡ及びＢとして登録し、それぞれの側を正面側としたときの左右方向の位置を本実施例では３分割して左側、中央部、右側の位置を１〜３で登録するようにしている。すなわち、配置位置がＢ−２とあるのは、Ｂ側の中央部に図書４が収容されている、ということを示している。
【００３９】
尚、図書情報テーブルに記憶されるこれらの情報は、図書４のＲＦＩＤタグ７を図書用タグリーダ８によって読み取った際に自動で図書情報テーブルに登録されるようにしてもよいし、管理者が手作業による入力をして登録するようにしてもよい。
【００４０】
図１０に示すように、記憶部２８に記憶されているコンテナ情報テーブルには、コンテナ６のコンテナＩＤに対して、後述するアサイン方式と、コンテナ６が閉架書庫３内のいずれの書棚５にあるかを示すロケーションと、貸し出しまたは返却によって入出庫が行われた最新の日付を示す入出庫日付と、後述する点検作業を行うか否かをコンテナ６毎に指定するチェック要否と、各コンテナ６の前後のいずれかをＡ及びＢで示す前後位置と、図書保管管理システム１の管理者や図書館の司書が自由に入力することができるメモと、点検作業の結果を示す照合結果と、照合結果が不良であった場合にその理由が登録される照合不良情報と、からなるコンテナ関連情報が関連付けて記憶されている。
【００４１】
図１１に示すように、記憶部２８に記憶されている利用者情報テーブルには、利用者が図書館を利用するために図書館に登録した固有の利用者ＩＤと利用者が貸し出しを行う図書４の図書ＩＤとに対して、貸出予定日が関連付けて記憶されている。制御部２９が予約端末３１から貸出予約を受けると、制御部２９は、予約を行った利用者の利用者ＩＤと予約がされた図書ＩＤと貸出予定日を利用者情報テーブルに記憶させるようになっている。更に、利用者ＩＤに対して所定のアクセス権限の有無も登録されている。
【００４２】
次に、予約端末３１によって貸出予約が行われた図書４の貸出処理について、図５から図７を参照して説明する。尚、本実施例においては、図書館が設置された学校の学生が貸出予約を行い、図書館の司書が学生のＩＣカード２６を用いてステーション１３で図書４の貸し出しを行うものとして説明する。
【００４３】
学生が予約端末３１によって図書４の貸出予約をした際には、図１１に示す利用者情報テーブルの貸出予定日に日付が入った状態になっている。また、司書がステーション１３に設置されたタッチパネル２０に表示された指示に従ってタッチパネル２０を操作することによって、図書４の貸し出し作業を行うことができる。
【００４４】
先ず、司書が学生からＩＣカード２６を受け取り、ＩＣカード２６をカードリーダ２７にかざすと、ＩＣカード２６に内蔵されたＲＦＩＤタグに記憶されている固有の利用者ＩＤが読み取られる。管理装置２４の制御部２９は、カードリーダ２７が読み取った利用者ＩＤに基づいて、図１１に示す利用者情報テーブルを参照し、貸出予定日に日付が入っている、即ち貸出予約がなされている図書４の図書ＩＤを特定する。更に、制御部２９は、その図書ＩＤに基づいて図９に示す図書情報テーブルを参照してタイトル等の情報を読み出すとともに、図書４が収容されているコンテナＩＤを特定する。
【００４５】
図５に示すように、制御部２９によって、タッチパネル２０の表示がコンテナ取出しメニュー画面に切り替えられ、図書情報テーブルの情報を基に、貸出予約が行われた図書４のタイトル、巻号、年月次が図書４毎にリスト表示される。
【００４６】
本実施例では、２冊の図書４が貸出対象となっており、貸出予約を行った図書４が複数ある場合は複数の図書４の情報が表示され、一画面で表示しきれない場合には、複数ページで表示し、図示しない前頁ボタンや次頁ボタンで照会可能に表示されるようになっている。また、画面右上には、貸出対象の図書４が収容されたコンテナ６の件数が表示され、本実施例では１件のコンテナ６が呼出対象となっていることが表示されている。
【００４７】
そして、制御部２９は、表示されたリストの内容を確認してコンテナ呼出ボタン３２を押す旨の指示を表示し、司書が表示されたリストを確認してタッチパネル２０に表示されたコンテナ呼出ボタン３２を押すと、制御部２９は、リスト表示された図書４が収容されたコンテナ６を閉架書庫３からステーション１３に搬送する処理を行う。具体的には、制御部２９は、スタッカクレーン１０によってコンテナ６を取り出し、取り出したコンテナ６をコンベア１２，１５や搬送エレベータ１１によってステーション１３に搬送させる。
【００４８】
尚、コンテナ取出しメニュー画面には、詳細ボタンと取消ボタンが表示されている。詳細ボタンを押すと、その図書４の著者や出版社等の更なる詳細情報が表示され、取消ボタンを押すと、タッチパネル２０のリストからその図書４の情報が非表示となり、コンテナ呼出を行わない、すなわち今回はその図書４の貸し出しを行わないように変更することができる。
【００４９】
尚、コンテナ６にはバーコード部２２が設けられており、搬送経路の所定の複数箇所に設置されたバーコードリーダ２３によってコンテナ６のコンテナＩＤが読み取られる。制御部２９は、バーコードリーダ２３が読み取ったコンテナＩＤを基に、読み取りを行ったバーコードリーダ２３の位置から各コンテナ６の現在位置情報を把握することができるようになっている。
【００５０】
前述したようにステーション１３にもバーコードリーダ２３が設置されており、制御部２９は、ステーション１３のバーコードリーダ２３が読み取ったコンテナＩＤを基に、コンテナ６がステーション１３に搬送されたことを把握する。また、このときステーション１３の上流側に設けられた図書用タグリーダ８によってコンテナ６内の図書４のＲＦＩＤタグ７が読み取られ、制御部２９は、図書情報テーブルに登録されている内容と照合して確認する確認処理を行う。コンテナ６がステーション１３に到着すると、制御部２９によって、図６に示す図書の取出し及び読取指示を行う読取処理画面に切り替えられる。
【００５１】
尚、呼び出されたコンテナ６が複数ある場合には、前述したロータリーラック１４に一時保管され、先にステーション１３に搬送されたコンテナ６に収容された図書４の貸出処理の終了後に、順次ステーション１３に搬送されるようになっている。
【００５２】
コンテナ６のバーコード部２２には、Ａ側であるかＢ側であるかを示す前後情報が含まれており、制御部２９は、ステーション１３に搬送されたコンテナ６のバーコード部２２の情報からコンテナ６の前後方向を判断し、ステーション１３内で正面側となっている側がＡ側かＢ側であるかを判定する。
【００５３】
図６に示すように、制御部２９は、図書４のタイトル、巻号、年月次とともに、図書ＩＤと対応付けて図書情報テーブルに記憶されている配置位置を抽出し、コンテナ６内の図書４の配置位置を示す書籍の位置を、図書毎にタッチパネル２０にリスト表示（図書単位表示）させる。本発明における配置情報抽出手段は、制御部２９によって構成されている。更に、制御部２９は、図書４が読取済か否かの状態を示す表示もさせる。尚、ステーション１３に搬送されたコンテナ６内に収容されている図書４の情報を最上列に表示されるようになっている。
【００５４】
このように、制御部２９は、図書４の配置位置と、図書４のタイトル、巻号、年月次等の図書関連情報と、を対応付けてリスト表示させることによって、司書はタッチパネルのリスト表示を参照することで、１つのコンテナから２冊以上の図書４の貸し出しを行う際には、各図書４がコンテナ６内のいずれの配置位置に配置されているかを容易に把握できる。
【００５５】
書籍の位置について更に詳しく説明すると、例えばステーション１３に搬送されたコンテナ６のＡ側がステーション１３内で正面側となっていて、図書情報テーブルにおいて目的の図書４の配置位置がＢ−２である場合には、図書４がコンテナ６の背面側に配置されているため、制御部２９はそれらの情報を基に、タッチパネル２０の書籍の位置に、コンテナ６内の図書４の位置を概略的に示す位置画像３３を表示させる。
【００５６】
具体的には、位置画像３３は、前後２列に図書４が収容された状態を示すコンテナ６を簡略化した斜視図となっており、目的の図書４が背面側に配置されている場合には、背面側の図書４の列を緑色に塗り潰した位置画像３３を表示させる。また、目的の図書４がコンテナ６の正面側に配置されている場合には、制御部２９は、正面側の図書４の列を黄色に塗り潰した位置画像３３を表示させる。概略的なコンテナ６の斜視図の位置画像３３を表示させることによって、利用者が一目で図書４の前後位置を認識できるようになっている。
【００５７】
更に詳細な配置位置を表示させる位置画像３３について、図７を参照して説明する。例えばステーション１３内でコンテナ６のＡ側が正面側となっており、図書情報テーブルにおいて目的の図書４の図書ＩＤと対応付けられた配置位置がＡ−１である場合には、制御部２９は、コンテナ６のＡ側かつ左側に目的の図書４が配置されているとして位置画像３３の左下部を黄色に塗り潰して表示させる（図７（ａ）参照）。
【００５８】
同様に、図書情報テーブルにおける配置位置がＡ−２である場合には、制御部２９は、コンテナ６のＡ側かつ中央部に目的の図書４が配置されているとして位置画像３３の中央下部を黄色に塗り潰して表示させる（図７（ｂ）参照）。図書情報テーブルにおける配置位置がＡ−３である場合には、制御部２９は、コンテナ６のＡ側かつ右側に目的の図書４が配置されているとして位置画像３３の右下部を黄色に塗り潰して表示させる（図７（ｃ）参照）。
【００５９】
これにより、司書は、タッチパネル２０に表示された位置画像３３の塗り潰しの色と位置を見てコンテナ６内における図書４の配置位置を容易に把握することができるようになり、実際にコンテナ６から図書４を取り出す際に、目的の図書４を発見し易くなり、作業効率が向上する。また、正面側と背面側とで異なる色を用いて表示することで、貸出対象の図書４がいずれの側に配置されているかを司書が容易に認識することができる。
【００６０】
尚、図書保管管理システム１においては、図書館の休館日や夜間等の任意の時間帯に、入出庫日付の範囲やコンテナ６のロケーションの範囲を指定して、図書情報テーブルの登録内容と実際の図書４の配置に差異が生じていないかを点検する図書４の点検作業を自動的に行うことができるようになっている。この点検作業によって照合不良となった図書４がある場合には、図書情報テーブル及びコンテナ情報テーブルにおいて照合不良情報に不足、過剰、前後違い、該当外などが登録されている。
【００６１】
後日、司書が照合不良となった図書４を確認する際には、制御部２９は、司書が行うタッチパネル２０の操作に基づいて、照合不良となった図書４をリスト表示させ、コンテナ呼出ボタン３２でステーション１３に対象のコンテナ６を搬送させる。そして、制御部２９は、ステーション１３にコンテナ６が搬送された際にタッチパネル２０にリスト表示させ、このリストでも同様に、図７（ａ）〜（ｃ）に示す位置画像３３を表示させ、図書４の配置位置を示す表示を行う。これにより、司書は照合不良となった図書４の配置位置を容易に認識することができる。
【００６２】
図６に示すように、図書４がコンテナ６内における背面側（後位置）に配置されている場合には、制御部２９はコンテナ６の回転操作を促すために、タッチパネル２０の位置画像３３の近傍に、コンテナ回転ボタン３４と「回転させてください」というメッセージとを表示させるようになっている。そのため、司書がコンテナ６を回転させる必要があるか否かを容易に判断できる。尚、このコンテナ回転ボタン３４及びメッセージは、各図書４のリスト表示に対してそれぞれ表示される。
【００６３】
司書がタッチパネル２０に表示されたコンテナ回転ボタン３４を押すと、制御部２９によって、ターンテーブル１９が回転し、コンテナ６の向きが１８０度回転される。尚、本発明における回転操作手段は、コンテナ回転ボタン３４と、制御部２９と、ターンテーブル１９と、によって構成されている。
【００６４】
ターンテーブル１９の回転が完了すると、制御部２９は、タッチパネル２０の位置画像３３における正面側の図書４の列を黄色に塗り潰して表示させ、コンテナ回転ボタン３４を表示しないようにする。これにより、司書は正面側に目的とする図書４が配置されたことを認識することができる。
【００６５】
そして、制御部２９は、コンテナ６から図書４を取り出して貸出返却用タグリーダ９に図書４のＲＦＩＤタグ７を読み取らせる旨の指示を表示する。司書がステーション１３のスライド扉２１を開放してタッチパネル２０に表示されたコンテナ６内における図書４の位置画像３３を基にコンテナ６内から目的の図書４を取り出し、貸出返却用タグリーダ９に図書４のＲＦＩＤタグ７を読み取らせると、制御部２９は、タッチパネル２０に表示されたリストにおいて読み取られた図書４の状態が読取待ちから読取済に表示が切り替わり、読取済となった図書４の情報が表示される列は色が反転して読取が完了したことが視認可能となる。
【００６６】
読取が完了し、ステーション１３にあるコンテナ６において貸出対象の図書４が他にない場合には、制御部２９は、そのコンテナ６をステーション１３からコンベア１２，１５や搬送エレベータ１１やスタッカクレーン１０によって閉架書庫３の書棚５に戻す処理を行い、貸出処理が完了する。
【００６７】
尚、他の読取待ちの図書４が他のコンテナ６に収容されている場合には、そのコンテナ６がロータリーラック１４に一時保管されており、制御部２９は、ロータリーラック１４からステーション１３内にコンテナ６を搬送する処理を行う。司書は、前述したように再度タッチパネル２０の表示に従い同様に貸出処理を行う。貸出予約が行われた図書４の全ての貸出処理が完了すると、司書はコンテナ６から取り出した図書４とＩＣカード２６とを学生に受け渡し、図書４が貸し出される。
【００６８】
次に、図書４の返却処理について、図８を参照して説明する。貸し出された図書４が学生から返却された場合に、司書がステーション１３においてタッチパネル２０を操作し、図書４の閉架書庫３への返却作業を行う。本実施例における図書保管管理システム１は、固定ロケーション方式を採用しているため、図書４が保管されるコンテナ６が一意に決められるようになっている。
【００６９】
司書が返却対象の図書４を貸出返却用タグリーダ９にかざすと、制御部２９は図書４のＲＦＩＤタグ７から読み取った図書ＩＤを基に図書情報テーブルを参照し、タイトル等の情報を読み出すとともに、図書４が収容されるべきコンテナＩＤを特定する。尚、複数の図書４を連続して貸出返却用タグリーダ９に読み取らせることもできる。
【００７０】
特に図示しないが、貸出処理と同様に、タッチパネル２０には、図書４のタイトル、巻号、年月次等の情報がリスト表示されるとともにコンテナ呼出ボタン３２が表示される。司書がコンテナ呼出ボタン３２を押すと、制御部２９は、リスト表示された図書４が収容されるべきコンテナ６を閉架書庫３からステーション１３に搬送する処理を行う。具体的には、制御部２９は、スタッカクレーン１０によってコンテナ６を取り出し、取り出したコンテナ６をコンベア１２と、搬送エレベータ１１と、コンベア１５と、によってステーション１３に搬送させる。
【００７１】
コンテナ６がステーション１３に到着すると、制御部２９によって、図８に示すコンテナ返却メニュー画面に切り替えられ、対象の図書４の図書ＩＤに対応付けられて図書情報テーブルに登録されている図書４のタイトル、巻号、年月次、書籍の位置が図書４毎にリスト表示される。書籍の位置には、貸出処理の際と同様に、コンテナ６内の図書４の位置を概略的に示す位置画像３３が表示される。
【００７２】
このように、制御部２９は、図書４の配置位置と、図書４のタイトル、巻号、年月次等の図書関連情報と、を対応付けてリスト表示させることによって、司書はタッチパネルのリスト表示を参照することで、１つのコンテナに２冊以上の図書４を返却する際には、各図書４をコンテナ６内のいずれの配置位置に配置すればよいかを容易に把握できる。
【００７３】
ステーション１３のバーコードリーダ２３によってコンテナ６のバーコード部２２が読み取られ、制御部２９は、バーコードリーダ２３が読み取った情報を基にコンテナ６の向きを判断し、返却対象の図書４の収容する位置がステーション１３内で正面側となっているか背面側となっているかを判定する。
【００７４】
そして、コンテナ６がステーション１３に搬送された際に、返却対象の図書４の収容箇所が背面側となっている場合には、制御部２９は、位置画像３３における背面側の図書４の列を緑色に塗り潰して収容箇所を示す表示をするとともに、コンテナ回転ボタン３４を表示させる。
【００７５】
司書がタッチパネル２０に表示されたコンテナ回転ボタン３４を押すと、制御部２９は、ターンテーブル１９を回転させ、コンテナ６の向きを１８０度回転させる。ターンテーブル１９の回転が完了すると、制御部２９は、タッチパネル２０の位置画像３３における正面側の図書４の列を黄色に塗り潰して表示させ、コンテナ回転ボタン３４を表示しないようにする。
【００７６】
これにより、司書はコンテナ６における図書４を返却すべき位置が正面側に配置されたことを認識できる。書籍の位置には、貸出処理の際と同様に、制御部２９によって、図書情報テーブルに登録された配置位置を基に、図７（ａ）〜（ｃ）に示すように、図書４のコンテナ６内の左右方向における配置位置が位置画像３３によって表示される。そして、返却する図書４をコンテナ６に返して図書４のチェックボタン３５を押す旨の指示が表示される。
【００７７】
司書が図書４をコンテナ６に戻して図書のチェックボタン３５を押すと、制御部２９は、ステーション１３の下流側にコンテナ６を搬送し、ステーション１３の下流側に設けられた図書用タグリーダ８によって、コンテナ６に収容された図書４のＲＦＩＤタグ７を読み取り、コンテナ６内の図書４と図書情報テーブルに登録されている情報とを照合するチェック処理を行う。制御部２９は、チェック処理が完了すると、コンテナ６をステーション１３からコンベア１２，１５や搬送エレベータ１１やスタッカクレーン１０によって閉架書庫３の書棚５に戻す処理を行い、返却処理が完了する。
【００７８】
以上、本実施例における図書保管管理システム１にあっては、管理装置２４は、コンテナ６内における各図書４の配置位置と図書ＩＤとを対応付けて記憶する記憶部２８と、目的の図書４の図書ＩＤを受付ける図書用タグリーダ８及び貸出返却用タグリーダ９と、図書用タグリーダ８及び貸出返却用タグリーダ９にて受付けた図書ＩＤに対応付けて記憶部２８に記憶されている配置位置を抽出する制御部２９と、制御部２９にて抽出した配置位置に基づいて目的の図書４のコンテナ６内における配置位置を表示するタッチパネル２０と、を備えることで、利用者はタッチパネル２０を参照することで、貸し出し作業時には、コンテナ６内のいずれの配置位置に目的の図書４が配置されているかを容易に把握できるとともに、返却作業時には、コンテナ６内のいずれの配置位置に目的の図書４を配置すればよいのかを容易に把握できるようになり、利用者がコンテナ６内から目的の図書４を見つけ出す手間や、コンテナ６内に図書４を収容する位置を確認する手間などが軽減され、利便性を向上させることができる。
【００７９】
また、管理装置２４は、貸出返却用タグリーダ９にて複数の図書ＩＤを受付けた場合に、制御部２９にて抽出した各図書４の配置位置と、各図書ＩＤに対応付けて記憶部２８に記憶されている図書４に関連する図書関連情報と、を対応付けて表示するリスト表示を、図書４毎にタッチパネル２０に表示させる制御を行うことで、利用者はタッチパネル２０の各リスト表示を参照することで、１つのコンテナ６から複数の図書４の貸し出しを行う際には、各図書４がコンテナ６内のいずれの配置位置に配置されているかを容易に把握できるとともに、１つのコンテナ６に複数の図書４を返却する際には、各図書４をコンテナ６内のいずれの配置位置に配置すればよいのかを容易に把握できるようになり、利便性を向上させることができる。
【００８０】
また、コンテナ６には、複数の図書４が前後２列に配置されるとともに、タッチパネル２０には、配置位置に基づいて目的の図書４のコンテナ６内における前後位置が表示されるようになっており、管理装置２４は、ステーション１３に搬送されたコンテナ６を回転させるコンテナ回転ボタン３４、制御部２９、ターンテーブル１９をさらに備えることで、利用者はタッチパネル２０を参照することで、ステーションに搬送されたコンテナ６内の前後いずれの位置に目的の図書４が配置されるかを容易に把握でき、目的の図書４がコンテナ６内における後方側の位置にある場合などに、利用者がコンテナ回転ボタン３４を操作することで、コンテナ６が回転されて目的の図書４の貸し出しまたは返却作業を行い易くなる。
【００８１】
また、管理装置２４は、少なくとも目的の図書４がコンテナ６内における後位置にある場合に、タッチパネル２０にコンテナ６の回転操作を促す表示をさせる制御を行うことで、利用者はタッチパネル２０を参照することで、コンテナ回転ボタン３４を操作するか否かの判断を容易に行うことができる。
【００８２】
また、タッチパネル２０は、目的の図書４のコンテナ６内の左右方向における配置位置を、概略的な位置画像３３として表示することで、タッチパネル２０に表示される目的の図書４の配置位置を示す画像が、簡略化されてタッチパネル２０による画像処理がスムーズに行われるようになる。
【００８３】
以上、本発明の実施例を図面により説明してきたが、具体的な構成はこれら実施例に限られるものではなく、本発明の要旨を逸脱しない範囲における変更や追加があっても本発明に含まれる。
【００８４】
例えば、前記実施例では、コンテナ６における図書４の配置位置を３分割して位置画像３３において左側、中央、右側のいずれかを黄色に塗り潰して配置位置を表示させるようにしているが、位置画像３３内の図書を一冊毎に塗り潰し、例えば端部の１冊のみを塗り潰して端部に目的の図書４があることを示すなど、更に詳細な図書の配置位置を示すようにしてもよい。更に尚、塗り潰しの色は黄色に限らず、任意の色や模様を選択できるようにしてもよいし、配置位置を示す矢印等を用いてもよい。
【００８５】
また、前記実施例では、図書情報テーブルに登録された配置位置をタッチパネル２０に表示させるようにしているが、コンテナ６がステーション１３に搬送される際に、ステーション１３の上流側に設けられた図書用タグリーダ８によってコンテナ６内の図書４のＲＦＩＤタグ７を順次読み取り、読み取った情報を基に、目的の図書４が収容されている位置を推定してタッチパネル２０のリスト表示内の書籍の位置に表示させるようにしてもよい。
【符号の説明】
【００８６】
１                図書保管管理システム
４                図書
５                書棚
６                コンテナ
７                ＲＦＩＤタグ
８                図書用タグリーダ（図書識別情報受付手段）
９                貸出返却用タグリーダ（図書識別情報受付手段）
１３              ステーション
１９              ターンテーブル（回転操作手段）
２０              タッチパネル（表示手段）
２４              管理装置
２８              記憶部（記憶手段）
２９              制御部（配置情報抽出手段，回転操作手段）
３３              位置画像
３４              コンテナ回転ボタン（回転操作手段）
【図１】
0005671278.tif 000002
【図２】
0005671278.tif 000003
【図３】
0005671278.tif 000004
【図４】
0005671278.tif 000005
【図５】
0005671278.tif 000006
【図６】
0005671278.tif 000007
【図７】
0005671278.tif 000008
【図８】
0005671278.tif 000009
【図９】
0005671278.tif 000010
【図１０】
0005671278.tif 000011
【図１１】
0005671278.tif 000012